(57)【要約】【課題】大当たり景品の落下パターンに意外性があり、楽しみやすく、しかも、ゲームの継続を促すような景品取得ゲーム機を提供する。【解決手段】景品取得ゲーム機１０は、内部の景品を獲得孔２４に落下させて外部に取り出すプッシャー式のクレーンゲーム機であって、獲得孔２４方向に景品を搬送する固定テーブル１８及びスライドテーブル１９と、固定テーブル１８の上方であって、互いに向き合うように設けられ、大当たり景品Ｇ２を落下可能に保持する２つの景品保持手段４０と、２つの景品保持手段４０のそれぞれの保持状態を維持するための２つのテンション棒５０とを備え、固定テーブル１８及びスライドテーブル１９によって搬送される景品にテンション棒５０が押され、テンション棒５０が倒れて保持状態が解除されることにより大当たり景品Ｇ２が景品保持手段４０から落下する。【選択図】図２
2008061720.tif 000002
【特許請求の範囲】
【請求項１】
内部の景品を獲得孔に落下させて外部に取り出す景品取得ゲーム機であって、
前記獲得孔方向に前記景品を搬送する搬送手段と、
前記搬送手段の上方であって、互いに向き合うように設けられ、大当たり景品を落下可能に保持する複数の景品保持手段と、
前記複数の景品保持手段のそれぞれの保持状態を維持するための複数の棒状部材とを備え、
前記搬送手段によって搬送される前記景品に前記棒状部材が押され、前記棒状部材が倒れて前記保持状態が解除されることにより前記大当たり景品が前記景品保持手段から落下すること、
を特徴とする景品取得ゲーム機。
【請求項２】
請求項１に記載の景品取得ゲーム機において、
前記景品保持手段は、高さを調整する高さ調整手段を備えること、
を特徴とする景品取得ゲーム機。
【請求項３】
請求項１又は請求項２に記載の景品取得ゲーム機において、
前記棒状部材は、前記搬送手段との接触面に難易度調整手段を備えること、
を特徴とする景品取得ゲーム機。
【請求項４】
請求項１から請求項３までのいずれか１項に記載の景品取得ゲーム機において、
前記棒状部材は、長さを調整する長さ調整手段を備えること、
を特徴とする景品取得ゲーム機。
【請求項５】
請求項１から請求項４までのいずれか１項に記載の景品取得ゲーム機において、
前記棒状部材は、前記獲得孔に落下することを防止する落下防止手段を備えること、
を特徴とする景品取得ゲーム機。
【請求項６】
請求項１から請求項５までのいずれか１項に記載の景品取得ゲーム機において、
前記景品保持手段は、
支柱部材と、
前記大当たり景品を載置する板状部材と、
前記支柱部材と前記板状部材とを連結し、前記板状部材を傾斜可能に支持する連結部材とを備え、
前記板状部材は、この景品保持手段の保持状態を維持している棒状部材とは別の棒状部材の方向に前記大当たり景品を落下させること、
を特徴とする景品取得ゲーム機。
【請求項７】
請求項６に記載の景品取得ゲーム機において、
遊戯領域と外部とを仕切るドーム形のカバー部材を備え、
前記板状部材は、その一部が前記カバー部材の形状に沿った形状であること、
を特徴とする景品取得ゲーム機。
【請求項８】
請求項１から請求項７までのいずれか１項に記載の景品取得ゲーム機において、
前記搬送手段は、固定テーブル上でスライドテーブルが往復移動するものであること、
を特徴とする景品取得ゲーム機。
【発明の詳細な説明】
【技術分野】
【０００１】
本発明は、内部の景品を獲得孔に落下させて外部に取り出す景品取得ゲーム機に関するものである。
【背景技術】
【０００２】
特許文献１は、台上の景品を移動させて払出口に落下させるゲーム装置に用いる景品供給装置を開示している。
この装置は、景品を保持する景品貯留手段と、台上に積み上げられた複数のブロック材とを有し、積み上げられた複数のブロック材が崩れるか又は台上から落下したときに景品貯留手段から景品が落下するものである。
【０００３】
しかし、特許文献１の景品供給装置では、以下のような問題があった。
（１）複数のブロック材を用いて景品の保持状態を保っているので、複数のブロック材の積み上げ状態が比較的安定しており、大当たり景品の落下パターンに意外性が欠ける可能性があった。
（２）台上の景品が最下層のブロックを押し出しても、だるま落としのようにそのブロックだけが外れてしまい、他のブロックが崩れない可能性があった。
（３）複数のブロック材が積み上げられているので、すべてのブロックが一体で移動してしまい、払出口まですべてのブロック材を押し出さなければ、大当たりとならない可能性があった。
（４）複数のブロック材が崩れれば大当たりとなるものの、そこでゲームが終了した感覚があり、遊戯者がゲームを継続しない可能性があった。
【特許文献１】特開２００６−１７５０３９号公報
【発明の開示】
【発明が解決しようとする課題】
【０００４】
本発明の課題は、大当たり景品の落下パターンに意外性があり、楽しみやすく、しかも、ゲームの継続を促すような景品取得ゲーム機を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、内部の景品（Ｇ１）を獲得孔（２４）に落下させて外部に取り出す景品取得ゲーム機（１０）であって、前記獲得孔（２４）方向に前記景品（Ｇ１）を搬送する搬送手段（１８、１９）と、前記搬送手段（１８、１９）の上方であって、互いに向き合うように設けられ、大当たり景品（Ｇ２）を落下可能に保持する複数の景品保持手段（４０）と、前記複数の景品保持手段（４０）のそれぞれの保持状態を維持するための複数の棒状部材（５０）とを備え、前記搬送手段（１８、１９）によって搬送される前記景品（Ｇ１）に前記棒状部材（５０）が押され、前記棒状部材（５０）が倒れて前記保持状態が解除されることにより前記大当たり景品（Ｇ２）が前記景品保持手段（４０）から落下すること、を特徴とする景品取得ゲーム機（１０）である。
請求項２の発明は、請求項１に記載の景品取得ゲーム機（１０）において、前記景品保持手段（４０）は、高さを調整する高さ調整手段（４６）を備えること、を特徴とする景品取得ゲーム機（１０）である。
請求項３の発明は、請求項１又は請求項２に記載の景品取得ゲーム機（１０）において、前記棒状部材（５０）は、前記搬送手段（１８、１９）との接触面に難易度調整手段を備えること、を特徴とする景品取得ゲーム機（１０）である。
請求項４の発明は、請求項１から請求項３までのいずれか１項に記載の景品取得ゲーム機（１０）において、前記棒状部材（５０）は、長さを調整する長さ調整手段を備えること、を特徴とする景品取得ゲーム機（１０）である。
請求項５の発明は、請求項１から請求項４までのいずれか１項に記載の景品取得ゲーム機（１０）において、前記棒状部材（５０）は、前記獲得孔（２４）に落下することを防止する落下防止手段（６０）を備えること、を特徴とする景品取得ゲーム機（１０）である。
請求項６の発明は、請求項１から請求項５までのいずれか１項に記載の景品取得ゲーム機（１０）において、前記景品保持手段（４０）は、支柱部材（４３）と、前記大当たり景品（Ｇ２）を載置する板状部材（４４）と、前記支柱部材（４３）と前記板状部材（４４）とを連結し、前記板状部材（４４）を傾斜可能に支持する連結部材（４５）とを備え、前記板状部材（４４）は、この景品保持手段（４０）の保持状態を維持している棒状部材（５０）とは別の棒状部材（５０）の方向に前記大当たり景品（Ｇ２）を落下させること、を特徴とする景品取得ゲーム機（１０）である。
請求項７の発明は、請求項６に記載の景品取得ゲーム機（１０）において、遊戯領域（２Ａ〜２Ｄ）と外部とを仕切るドーム形のカバー部材（２５）を備え、前記板状部材（４４）は、その一部が前記カバー部材（２５）の形状に沿った形状であること、を特徴とする景品取得ゲーム機（１０）である。
請求項８の発明は、請求項１から請求項７までのいずれか１項に記載の景品取得ゲーム機（１０）において、前記搬送手段（１８、１９）は、固定テーブル（１８）上でスライドテーブル（１９）が往復移動するものであること、を特徴とする景品取得ゲーム機（１０）である。
【発明の効果】
【０００６】
本発明によれば、以下のような効果がある。
（１）複数の景品保持手段が互いに向き合うように設けられているので、一の景品保持手段から大当たり景品が落下すると、他の景品保持手段の棒状部材も同時に倒れる可能性があり、大当たり景品の落下パターンの意外性を向上させることができる。
（２）複数の景品保持手段を設けているので、一の景品保持手段から大当たり景品が落下しても、他の景品保持手段に大当たり景品が残る場合があり、遊戯者にゲームの継続を促すことができ、遊戯者の滞留時間を長くすることができる。
（３）棒状部材は、ブロック材よりも倒れやすいので、遊戯者にとっては楽しみやすいゲーム機とすることができる。
（４）景品保持手段は、高さを調整する高さ調整手段を備えるので、大当たり景品のサイズに合わせて高さを調整することができ、遊戯者へのアピール度を向上させることができる。
【発明を実施するための最良の形態】
【０００７】
本発明は、大当たり景品の落下パターンに意外性があり、楽しみやすく、しかも、ゲームの継続を促すような景品取得ゲーム機を提供するという目的を、大当たり景品を落下可能に保持する２つの景品保持手段を互いに向き合うように配置し、２つのテンション棒でそれぞれの景品保持手段の保持状態を維持することにより実現する。
【実施例】
【０００８】
以下、図面等を参照して、本発明の実施例について、さらに詳しく説明する。
図１は、本発明による景品取得ゲーム機の実施例を示す図である。
本実施例による景品取得ゲーム機１０は、４つの遊戯領域２Ａ〜２Ｄを有し、回転テーブル１２に配置された内部の景品Ｇ１を獲得孔２４に落下させて外部に取り出すプッシャー式のクレーンゲーム機である。なお、以下の説明において、主に遊戯領域２Ａについて説明するが、他の遊戯領域２Ｂ〜２Ｄについても同様な構造である。
【０００９】
この景品取得ゲーム機１０は、本体ケース１１と、回転テーブル１２と、４つのクレーン部１３と、４つの固定テーブル１８と、４つのスライドテーブル（プッシャー台）１９と、４つの操作部２０と、４つの景品取り出し口２３と、カバー部材２５と、特別払出し装置３０等とを備える。
【００１０】
本体ケース１１は、景品取得ゲーム機１０の筐体部分であり、その外形が円形に形成された筒状の部材である。本体ケース１１は、中心軸Ｚが鉛直方向になるように設置される。本体ケース１１は、例えば、４人程度が同時に独立して遊戯できるように直径が１０００ｍｍ程度の大きさである。
【００１１】
回転テーブル１２は、景品Ｇ１を収容するための容器であり、本体ケース１１内の下側の範囲に設けられている。回転テーブル１２は、その下側に回転機構（図示せず）が設けられ、本体ケース１１の中心軸Ｚを中心に回転可能である。
【００１２】
４つのクレーン部１３は、景品Ｇ１を掴んでスライドテーブル１９に落下させるためのクレーンを模した装置である。４つのクレーン部１３は、本体ケース１１の中心に配置された支柱１４に取り付けられ、遊戯領域２Ａ〜２Ｄにそれぞれ設けられている。クレーン部１３は、アーム部材１５と、クレーンケース部材１６と、掴み部１７とを備える。
【００１３】
アーム部材１５は、その片方の端部にクレーンケース部材１６が設けられた腕状の部材であり、もう片方の端部が支柱１４の軸を中心に回転可能に設けられている。
【００１４】
クレーンケース部材１６は、掴み部１７を保持する筐体であり、アーム部材１５の端部の軸を中心に回転可能である。クレーンケース部材１６は、掴み部１７が常時下側になるように、アーム部材１５の片方の端部に吊り下がるようにして設置されている。
【００１５】
掴み部１７は、景品Ｇ１を掴むために、半円形に形成された２つのハンド１７ａが対向配置された部分である。ハンド１７ａは、クレーンケース部材１６に、回転可能に保持され、これにより、景品Ｇ１を掴んだり、落下させたりすることができる。なお、掴み部１７は、ハンド１７ａの代わりに、景品Ｇ１の種類、大きさに応じて、シャベル状のものでもよい。
【００１６】
固定テーブル１８及びスライドテーブル１９は、獲得孔２４方向に景品Ｇ１を搬送する搬送手段である。
４つの固定テーブル１８は、クレーン部１３によって運ばれた景品Ｇ１を蓄積するためのテーブルであり、矩形の板状に形成されている。固定テーブル１８は、その表面が上側を向くように、また、その長手方向が本体ケース１１の径方向を向くように、本体ケース１１に固定されている。
【００１７】
４つのスライドテーブル１９は、クレーン部１３が落下させた景品Ｇ１を受けとめて、さらに外側に押し出して獲得孔２４方向に移動させるための矩形の板状に形成された部材である。スライドテーブル１９は、移動機構（図示せず）が設けられ、固定テーブル１８の上面を本体ケース１１の径方向に往復移動可能に、本体ケース１１に収容される。
【００１８】
４つの操作部２０は、クレーン部１３を操作するためのものであり、本体ケース１１の側面に配置されている。操作部２０は、クレーン部１３の駆動を開始させるための開始ボタン２１と、掴み部１７を駆動して景品Ｇ１を落下させるための落下ボタン２２とを備える。
【００１９】
景品取り出し口２３は、獲得孔２４に落下した景品を、外部に払い出すための払い出し口である。景品取り出し口２３は、本体ケース１１の操作部２０の下側に設けられている。
【００２０】
カバー部材２５は、遊戯領域２Ａ〜２Ｄと外部とを仕切るために、透光性を有する材料（例えば、アクリル樹脂等）から形成されたドーム形の部材である。カバー部材２５は、その縁部が、景品取得ゲーム機１０の開口縁部を封止し、また、本体ケース１１に対して開閉可能である。
【００２１】
特別払出し装置３０は、固定テーブル１８の上方に設けられ、別空間にストックされた大当たり景品を払出す装置である。
【００２２】
図２は、特別払出し装置３０を示す図である。なお、図中矢印Ｘは、左右方向を示している。
特別払出し装置３０は、上述した通り、大当たり景品Ｇ２の払出しを実現する装置であり、固定テーブル１８の上方であって、互いに向き合うように設けられ、大当たり景品Ｇ２を落下可能に保持する２つの景品保持手段４０と、２つの景品保持手段４０のそれぞれの保持状態を維持するための２つのテンション棒（棒状部材）５０とを備える。
【００２３】
景品保持手段４０は、一端が獲得孔２４の壁面に固定され他端が獲得孔２４の外側に延びるように配置された板金ベース４１と、板金ベース４１の他端に立てられた丸穴パイプ支柱４２と、丸穴パイプ支柱４２の穴に挿入された支柱丸棒（支柱部材）４３と、大当たり景品Ｇ２を載置する景品トレイ（板状部材）４４と、支柱丸棒４３と景品トレイ４４とを連結し、景品トレイ４４を傾斜可能に支持するヒンジ（連結部材）４５とを備える。
【００２４】
景品トレイ４４は、周縁部の一部がカバー部材２５（図中一点鎖線Ｒ及び図１参照）の形状に沿った平面形状が台形の形状となっている。また、景品トレイ４４は、この景品保持手段４０の保持状態を維持しているテンション棒５０とは別のテンション棒５０の方向に大当たり景品Ｇ２を落下させる。つまり、図中左側の景品トレイ４４は、右側のテンション棒５０の方向に大当たり景品Ｇ２を落下させ、右側の景品トレイ４４は、左側のテンション棒５０の方向に大当たり景品Ｇ２を落下させる。
一方、テンション棒５０は、獲得孔２４に落下することを防止するテンション棒落下防止紐（落下防止手段）６０を備え、テンション棒落下防止紐６０は、テンション棒５０と丸穴パイプ支柱４２とを接続している。これにより、テンション棒５０が獲得孔２４に落下して詰まったりすることがない。
【００２５】
図３は、上述した特別払出し装置３０の詳細を説明する図である。
図３（Ａ）に示すように、景品保持手段４０の丸穴パイプ支柱４２は、高さを調整するネジ式固定部（高さ調整手段）４６を備える。そして、丸穴パイプ支柱４２に挿入された支柱丸棒４３を上下にスライドさせ、任意の位置でネジ式固定部４６を用いて支柱丸棒４３を固定することにより、景品トレイ４４の高さを自由に調整することができる。なお、この場合は、長さの異なるテンション棒５０を複数本用意しておく必要がある。
【００２６】
従来品では、大当たり景品Ｇ２への目線の高さはほぼ限られており、変化は付けられなかったが、本実施例では、図３（Ｂ）に示すように、景品保持手段４０の高さを自由に調整できるので、大当たり景品Ｇ２への目線の高さを柔軟に変化させることができ、アピール度を向上させることができる。
また、景品保持手段４０の高さを自由に調整できることにより、遊戯者のターゲットを大人の場合又は子供の場合にそれぞれ合わせて目線の高さを調節することができる。
【００２７】
次に、図１及び図４を参照しながら、景品取得ゲーム機１０の動作について説明する。
図４は、特別払出し装置３０の動作を示す図である。
まず、図１に示すように、遊戯者は、回転テーブル１２に配置された景品Ｇ１とクレーン部１３との位置関係、タイミング等を見計らって開始ボタン２１を押す。これにより、クレーン部１３のアーム部材１５が回転を始める。そして、掴み部１７のハンド１７ａが移動範囲の最下点付近に移動して景品Ｇ１を掴み、景品Ｇ１は、ハンド１７ａに掴まれた状態で上側に上昇する。
【００２８】
ついで、遊戯者は、スライドテーブル１９等の位置関係を見計らって、落下ボタン２２を押す。景品Ｇ１は、往復移動しているスライドテーブル１９の上面に落下し、スライドテーブル１９の往復移動に応じて移動する。そして、景品Ｇ１は、景品取得ゲーム機１０の径方向内側に移動したときに、支柱１４の外壁にぶつかって、この方向への移動が妨げられ、固定テーブル１８に落下する。固定テーブル１８に落下した景品Ｇ１は、スライドテーブル１９の縁部に押し出され、獲得孔２４の方向に移動する。以上の動作が次々に繰り返されることにより、複数の景品Ｇ１が固定テーブル１８の上面に蓄積され、獲得孔２４の方向に徐々に移動する。
【００２９】
そして、図４（Ａ）に示すように、固定テーブル１８上の景品Ｇ１がスライドテーブル１９に押され、景品Ｇ１によってテンション棒５０が押される。
ついで、図４（Ｂ）に示すように、テンション棒５０がその場で倒れるか又は固定テーブル１８上からテンション棒５０が外れて景品保持手段４０の保持状態が解除されると、大当たり景品Ｇ２が景品トレイ４４から落下する。このとき、左側の景品トレイ４４には、左端部にヒンジ４５が設けられているので、左側の景品トレイ４４は右側に傾き、大当たり景品Ｇ２は、右側のテンション棒５０の方向に落下する。
ここで、落下した大当たり景品Ｇ２が右側のテンション棒５０にぶつかり、そのテンション棒５０が倒れれば、図４（Ｃ）に示すように、他の大当たり景品Ｇ２も落下させることができる。
最後に、遊戯者は、景品取り出し口２３（図１参照）から大当たり景品Ｇ２を取り出し、その大当たり景品Ｇ２を獲得することができる。
【００３０】
このように、本実施例によれば、以下のような効果がある。
（１）２つの景品保持手段４０が互いに向き合うように設けられているので、他方のテンション棒５０への干渉次第では、連鎖的にすべてのテンション棒５０を一気に倒すことができ、大当たり景品Ｇ２の落下パターンの意外性を向上させることができる。
（２）景品トレイ４４は、景品保持手段４０の保持状態を維持しているテンション棒５０とは別のテンション棒５０の方向に大当たり景品Ｇ２を落下させるので、テンション棒５０を連鎖的に倒しやすくなる。
【００３１】
（３）景品保持手段４０から一気に大当たり景品Ｇ２が落下しない場合であっても、遊戯者は、落下しなかったほうの大当たり景品Ｇ２を継続して狙い続けることができる。すなわち、景品トレイ４４が左右に分かれているので、片方の大当たり景品Ｇ２が左側の景品トレイ４４から落下しても、片方の大当たり景品Ｇ２が右側の景品トレイ４４に残る場合があり、遊戯者にゲームの継続を促すことができ、遊戯者の滞留時間を長くすることができる。
（４）テンション棒５０は、ブロック材よりも倒れやすいので、遊戯者にとっては楽しみやすいゲーム機とすることができる。また、テンション棒５０が景品保持手段４０の保持状態を維持しているので、遊戯者にとっては「もう少しで倒れそう、まだ倒れなさそう」といった判断がしやすい。
【００３２】
（５）景品保持手段４０は、高さを調整するネジ式固定部４６を備えるので、大当たり景品Ｇ２のサイズに合わせて高さを調整することができ、遊戯者へのアピール度を向上させることができる。また、簡単に高さ調整ができるので、遊戯施設側では、景品一個単位のサイズを気にすることなく、自由な運営が可能となる。さらに、景品トレイ４４は、左右で独立して動作するので、片側だけでの可動も可能であり、しかも、図３に示すように、各大当たり景品Ｇ２に段差をつけて展示することもできる。
【００３３】
（６）大当たり景品Ｇ２を景品トレイ４４に載置しているので、遊戯者から見た大当たり景品Ｇ２が、背の高い人低い人に関係無く目立つようになり、すべての遊戯者に満遍なくアピールすることができる。また、景品トレイ４４は、ボックス型ではないので、大きな大当たり景品Ｇ２を使用することができる。
（７）従来品では、ディスプレイ用（展示品）としてのみ使用されていた場所に載置されている景品が、そのまま遊戯者のものになる可能性があり、見た目のアピール度を大幅に向上させることができる。
【００３４】
（変形例）
以上説明した実施例に限定されることなく、種々の変形や変更が可能であって、それらも本発明の均等の範囲内である。
（１）景品保持手段４０は、左右に２つ設置する例で説明したが、互いに向き合うようにして３つ以上設置してもよい。
（２）テンション棒５０は、Ｔ字の棒の例で説明したが、倒れやすくするために、単純な直線の棒であってもよく、また、景品トレイ４４や固定テーブル１８との接触面を球面にしてもよい。さらに、Ｔ字形のテンション棒５０のままでは倒れにくいような場合には、景品トレイ４４との接触部分に摩擦係数の高い素材を用い、固定テーブル１８との接触部分に摩擦係数の低い素材を用いて、テンション棒５０を倒れやすくしてもよい。
【００３５】
（３）テンション棒５０は、固定テーブル１８との接触面に難易度調整手段を備えてもよい。難易度調整手段として摩擦係数の高いゴム等を設ければ、テンション棒５０が押し出されにくくなるので、難易度を向上させることができる。また、難易度調整手段としてテンション棒５０の先端を尖らせておけば、テンション棒５０が倒れやすくなり、難易度を低下させることができる。また、このような場合には、テンション棒５０の色を塗り分けて難易度の違いを遊戯者に示すようにしてもよい。
（４）テンション棒５０は、景品トレイ４４の高さに応じて複数本用意する例で説明したが、景品保持手段４０のネジ式固定部４６と同じような構造を備えさせて、長さを調整できるようにしてもよい（長さ調整手段）。
【図面の簡単な説明】
【００３６】
【図１】本発明による景品取得ゲーム機の実施例を示す図である。
【図２】特別払出し装置３０を示す図である。
【図３】特別払出し装置３０の詳細を説明する図である。
【図４】特別払出し装置３０の動作を示す図である。
【符号の説明】
【００３７】
２Ａ〜２Ｄ  遊戯領域
１０  景品取得ゲーム機
１８  固定テーブル（搬送手段）
１９  スライドテーブル（搬送手段）
２４  獲得孔
２５  カバー部材
３０  特別払出し装置
４０  景品保持手段
４１  板金ベース
４２  丸穴パイプ支柱
４３  支柱丸棒（支柱部材）
４４  景品トレイ（板状部材）
４５  ヒンジ（連結部材）
４６  ネジ式固定部（高さ調整手段）
５０  テンション棒（棒状部材）
６０  テンション棒落下防止紐（落下防止手段）
Ｇ１  景品
Ｇ２  大当たり景品
【図１】
2008061720.tif 000003
【図２】
2008061720.tif 000004
【図３】
2008061720.tif 000005
【図４】
2008061720.tif 000006